(57)【要約】【課題】有機系廃水に合成洗剤や界面活性剤などの発泡性を有する液体が含まれている場合であっても、泡の発生を完全に阻止しながら好気性微生物群を用いた生物化学的処理により廃水を浄化する。【解決手段】好気性微生物群を担持させた接触材３，３…が設けられた少なくとも２以上の有機系廃水処理槽４Ａ、４Ｂを設置し、これら各有機系廃水処理槽４Ａ、４Ｂに、他の有機系廃水処理槽への廃水移送手段５Ａと、他の有機系廃水処理槽からの廃水移送手段５Ｂとを設ける。そして、２つの処理槽４Ａ、４Ｂ間で有機系廃水２を交互に移動させることにより、微生物群を大気に曝して酸素を供給させるようにする。【選択図】図１
2005007299.tif 000002
【特許請求の範囲】
【請求項１】
好気性微生物群を担持させた接触材が設けられた少なくとも２以上の有機系廃水処理槽を設置し、これら各有機系廃水処理槽に、他の有機系廃水処理槽への廃水移送手段と、他の有機系廃水処理槽からの廃水移送手段とを設けたことを特徴とする有機系廃水の処理装置。
【請求項２】
前記有機系廃水は、合成洗剤及び／又は界面活性剤が含有された発泡性の汚水を対象とする請求項１記載の有機系廃水の処理装置。
【請求項３】
前記請求項１、２いずれかに記載の有機系廃水の処理装置における処理方法は、各有機系廃水処理槽において、貯水された有機系廃水を他の有機系廃水処理槽へ移送し、一定時間経過の後、他の有機系処理槽から有機系廃水を返送する工程を繰り返すようにすることを特徴とする有機系廃水の処理方法。
【発明の詳細な説明】
【０００１】
【発明の属する技術分野】
本発明は、有機系廃水を生物化学的に処理するための処理装置およびその処理方法に関する。
【０００２】
【従来の技術】
例えば、都市廃水や事業所廃水の浄化方法の一つとして、天然または合成繊維等からなる微生物担体（接触材）を用いた接触酸化法が実用化されている。この接触酸化法は、接触材を処理槽内部に浸漬状態で設置し、エアレーションを行うことにより前記接触材の表面に付着・生息している微生物群に対して十分な酸素供給を行い、好気性微生物群の活動により廃水中の有機体を生物膜に転化し浄化するものである（例えば、下記特許文献１等）。前記微生物担体としては、例えば細菌、菌類、原生生物、微小後生生物などの微生物群が付着・生息しやすいように、例えば幹部とループ糸との組合せ、或いは螺旋状に捻り、或いは巻回したものなどが用いられている。
【０００３】
【特許文献１】
特開平１１−３０９４７６号公報
【０００４】
【発明が解決しようとする課題】
しかしながら、被処理対象となる有機系廃水中に、合成洗剤や界面活性剤などの発泡性を有する液体が含まれていると、前記エアレーションにより多量の泡が発生し、処理槽から際限無く溢れ出てしまう問題があった。
【０００５】
一方、エアレーションを行わずに好気性微生物群に対して酸素を供給する方法としては例えば回転ドラム方式がある。この方式は、処理槽内に回転ドラムを半浸漬状態で設置し、この回転ドラムの周囲に設けられた複数のフィンに好気性微生物群を付着・生息させ、回転ドラムの回転により前記フィンに付着・生息している微生物群を大気と接触させることにより酸素を供給するものである。
【０００６】
しかし、この回転ドラム方式の場合であっても、廃水中に合成洗剤や界面活性剤などの発泡性液体が混入していると、回転ドラムの回転によって生ずる振動、衝撃などによって徐々に気泡が発生し、気泡化を完全に防止することは困難である。また、回転ドラムを設置するための機材の導入や特別な容器の準備が必要となり、イニシャルコストが余計に掛かってしまう問題があるとともに、時間の経過に伴って回転ドラムのフィンに付着している汚泥が増大して、動力エネルギーが徐々に増大しランニングコストが次第に拡大するなどの問題があった。
【０００７】
そこで本発明の主たる課題は、有機系廃水中にたとえ合成洗剤や界面活性剤などの発泡性の液体が含有されている場合であっても、泡の発生を完全に阻止しながら好気性微生物群を用いた生物化学的処理により廃水を浄化できるようにするとともに、イニシャルコストおよびランニングコストを抑えた有機系廃水の処理装置およびその処理方法を提供することにある。
【０００８】
【課題を解決するための手段】
前記課題を解決するための請求項１に係る本発明として、好気性微生物群を担持させた接触材が設けられた少なくとも２以上の有機系廃水処理槽を設置し、これら各有機系廃水処理槽に、他の有機系廃水処理槽への廃水移送手段と、他の有機系廃水処理槽からの廃水移送手段とを設けたことを特徴とする有機系廃水の処理装置が提供される。
【０００９】
上記請求項１記載の本発明においては、有機系廃水が貯水されるそれぞれの有機系廃水処理槽（以下、単に処理槽ともいう。）に、他の有機系廃水処理槽への廃水移送手段と、他の有機系廃水処理槽からの廃水移送手段とを設けるようにした。そして、後述の請求項３記載の要領で運転を行うことにより、有機系廃水中に発泡性の液体が含まれている場合であっても、発泡を抑えながら大気暴露により接触材に担持された好気性微生物群に対し酸素を供給することが可能となる。また、装置構成は、接触材が設けられた処理槽と、廃水の送給と返送のための移送手段とからなる単純な構造で済むため、イニシャルコストが廉価で済むようになるとともに、タイマーによる廃水移送手段の自動運転化が可能でありメンテナンスも容易となる。
【００１０】
請求項２に係る本発明として、前記有機系廃水は、合成洗剤及び／又は界面活性剤が含有された発泡性の汚水を対象とする請求項１記載の有機系廃水の処理装置が提供される。本有機系廃水処理装置は一般の有機系廃水にも適用が可能であるが、合成洗剤及び／又は界面活性剤が含有された発泡性の汚水に対しても好適に適用される。
【００１１】
なお、前記有機系廃水処理槽の設置数を２つとした場合には、他の処理槽へ移送した廃水が、そのまま所定時間経過後に元の処理槽に返送されることになるが、処理槽を３以上設置した場合には、返送される廃水は前工程で移送した廃水でなくてもよい。具体的に第１〜第３の３つの処理槽を設置した場合、第１処理槽の廃水を第２処理槽に移送し、所定時間経過後に、第３処理槽の廃水を返送させるようにしてもよい。すなわち、処理槽が３以上の場合、本発明における「他の有機系廃水処理槽」とは自己以外の処理槽を指し、廃水移送先の処理槽に限定されない。
【００１２】
一方、請求項３に係る本発明として、前記請求項１、２いずれかに記載の有機系廃水の処理装置における処理方法は、各有機系廃水処理槽において、貯水された有機系廃水を他の有機系廃水処理槽へ送り、一定時間経過の後、他の有機系処理槽から有機系廃水を返送する工程を繰り返すようにすることを特徴とする有機系廃水の処理方法が提供される。
【００１３】
上記請求項３記載の本発明においては、各有機系廃水処理槽は、所定時間毎に、貯水されている有機系廃水を他の処理槽に送り、接触材に担持されている微生物群と大気とを所定時間接触させたならば、他の処理槽から有機系処理水を返送する工程を繰り返すことにより、エアレーションを不要としながら微生物群に対して十分な酸素を供給できるようになる。
【００１４】
【発明の実施の形態】
以下、本発明の実施の形態について図面を参照しながら詳述する。
図１は本発明に係る有機系廃水処理装置１において、有機系廃水移送前の状態図であり、図２はその有機系廃水移送後の状態図である。
【００１５】
前記有機系廃水処理装置１は、図１に示されるように、好気性微生物群を担持させた接触材、図示の例ではツリー状接触材３，３…が内部に設けられた２つの有機系廃水処理槽４Ａ、４Ｂを設置し、これら各処理槽４Ａ、４Ｂ間に、一方の処理槽４Ａから他方の処理槽４Ｂへの廃水移送手段５Ａを設けるとともに、他方の処理槽４Ｂから一方の処理槽４Ａへの廃水移送手段５Ｂを設けた装置である。
【００１６】
ここで、前記処理槽４Ａから見れば、前記廃水移送手段５Ａは廃水送り用となり、廃水移送手段５Ｂが廃水戻し用となる。また、前記処理槽４Ｂから見れば、前記廃水移送手段５Ｂが廃水送り用、廃水移送手段５Ａが廃水戻し用となる。
【００１７】
前記ツリー状接触材３．３…に担持される好気性微生物群は、細菌類、真菌類、原生動物、および微小後生動物等であり、これらの微生物群によって生物分解されることによって前記有機系廃水２に含まれるアンモニアや有機物が除去されるようになっている。なお、前記接触材としては、前述のようなツリー状接触材３の他、多数の横方向繊維糸条を縦方向の糸または固定部材で結束して面状としたもの、ネット状のものなど多種のものを使用することができる。
【００１８】
他方、前記廃水移送手段５Ａ（５Ｂ）は、処理槽４Ａ（４Ｂ）内に設けられた水中ポンプ６Ａ（６Ｂ）と、この水中ポンプ６Ａ（６Ｂ）から他の処理槽４Ｂ（４Ａ）に接続された移送管７Ａ（７Ｂ）とからなる装置である。また、廃水移送手段５Ａ、５Ｂは図１の例に限らず、要は一方の処理槽４Ａ（４Ｂ）に貯水された廃水を他方の処理槽４Ｂ（４Ａ）へ移送できればよい。例えば、図３に示されるように、一方の処理槽４Ａから他方の処理槽４Ｂに延長された移送管７Ａ（７Ｂ）と、この移送管７Ａ（７Ｂ）の途中に設けられたラインポンプ８Ａ（８Ｂ）とから構成するようにしてもよい。
【００１９】
次に、前記有機系廃水処理装置１を用いた有機系廃水２の処理方法について説明する。
先ず、図１に示されるように、まず一方の処理槽４Ａ（図中の右側処理槽）内に有機系廃水２を満たしておくけれども、他方の処理槽４Ｂ（図中の左側処理槽）内は、ほとんど空にした状態としておき、この他方側処理槽４Ｂのツリー状接触材３，３…に担持されている好気性微生物群を外気に曝して好気状態とする。
【００２０】
前記他方側処理槽４Ｂ内の好気性微生物群を所定時間大気に曝して十分に酸素を与えたならば、図２に示されるように、一方側処理槽４Ａ内の有機系廃水２を、前記廃水移送手段５Ａにより他方側処理槽４Ｂへ移動させ、前記一方側処理槽４Ａ内の有機系廃水２を空にすることにより、前記一方側処理槽４Ａ内のツリー状接触材３，３…に担持されている好気性微生物群を外気に曝して好気状態とする。所定時間経過の後、今度は他方側処理槽４Ｂ内に貯水されている有機系廃水２を一方側処理槽４Ａへ返送して他方側処理槽４Ｂ内の微生物群を大気に曝して酸素を供給させるようにする（図１参照）。このように、２つの処理槽４Ａ、４Ｂ間で有機系廃水２を交互に移動させることにより、微生物群を大気に曝して酸素を供給させるようにする。
【００２１】
前記有機系廃水２の移送は、それぞれの処理槽４Ａ、４Ｂに沈設された水中ポンプ６Ａ、６Ｂをタイマーにより所定時間毎に駆動させることで自動化できるようになる。この際、液面センサを設け（図示せず）、前記水中ポンプ６Ａ、６Ｂの停止を制御することもできる。
【００２２】
被処理対象となる前記有機系廃水２としては、特定の種類の汚水に限定されないものの、エアレーションを行わず静的に微生物群に対して酸素を供給可能とした本装置は、合成洗剤や界面活性剤等を含み発泡性を有する液体に対して特に効果的である。すなわち、各処理槽４に貯水される有機系廃水２が合成洗剤や界面活性剤等を含み発泡性を有する汚水である場合には、エア（酸素）が送給されると多量の泡が発生するが、前述のように廃水移送手段５Ａ、５Ｂにより有機系廃水２を一定時間毎に移動させる本装置の場合には、前記有機系廃水２に泡を発生させることなく、合成洗剤や界面活性剤等を含む廃水を生物化学的に処理することが可能となる。
【００２３】
（他の形態例）
（１）上記形態例では、一対の処理槽４Ａ、４Ｂを用意し、これら２つの処理槽４Ａ、４Ｂ間で廃水を移動させるようにしたが、処理槽は３以上の設置数としてもよい。例えば、図４に示される例は、４つの処理槽４Ａ〜４Ｄを設置し、各処理槽４Ａ〜４Ｄに対して他の処理槽４Ａ〜４Ｄへの廃水移送手段５Ａ〜５Ｄを配設した例である。図示状態では、処理槽４Ｃの廃水が空の状態となっているが、所定時間経過後に、廃水移送手段５Ｂを駆動させて処理槽４Ｂに貯水されている廃水を処理槽４Ｃに移送する。そして、さらに所定時間経過後に、処理槽４Ａに貯水されている廃水を処理槽４Ｂに移送させるようにする。以降は、処理槽４Ｄ、４Ｃ、４Ｂ…の順で処理槽４Ａを空にすることにより、各処理槽４Ａ〜４Ｄに配置された接触材３，３…に順番に酸素を供給することができる。
【００２４】
（３）上記形態例では、移送管７Ａ、７Ｂの吐出口を槽底部近傍に臨ませるようにしたが、処理槽４Ａ、４Ｂの高さ方向中間位置または上部位置に臨ませるようにしてもよい。なお、この場合には、落下による衝撃によって泡立たないように散乱させながら供給するのが望ましい。
【００２５】
【発明の効果】
以上詳説のとおり本発明によれば、有機系廃水中にたとえ合成洗剤や界面活性剤などの発泡性の液体が含有されている場合であっても、泡の発生を完全に阻止しながら好気性微生物群を用いた生物化学的処理により廃水を浄化できるようになるとともに、装置構造及び操作が単純であるため、イニシャルコストおよびランニングコストを抑えることができる。
【図面の簡単な説明】
【図１】本発明に係る有機系廃水処理装置１において、有機系廃水移送前の状態図である。
【図２】その有機系廃水移送後の状態図である。
【図３】廃水移送手段の変形例図である。
【図４】処理槽４を４槽とした場合の構成例図である。
【符号の説明】
１…有機系廃水処理装置、２…有機系廃水、３…ツリー状接触材、４Ａ〜４Ｄ…有機系廃水処理槽、５Ａ〜５Ｄ…廃水移送手段、６Ａ〜６Ｄ…水中ポンプ
【図１】
2005007299.tif 000003
【図２】
2005007299.tif 000004
【図３】
2005007299.tif 000005
【図４】
2005007299.tif 000006